(57)【要約】【課題】  樹脂製の基板ケースの内部に収容される基板が外部に開放されることを困難にし、第三者の不正行為を抑止することができる基板ケース及び遊技機を提供する。【解決手段】  遊技制御プログラムを記憶する電子部品６が着脱可能に実装される基板７を収容するため、基板７の表面側を覆う樹脂製のケース部材８を備えて構成される基板ケース１０において、ケース部材８のうち、前記電子部品６と対向する部位を覆うように、耐熱性を有する第１保護部材１６が配置され、さらに、ケース部材との間に第１保護部材１６を介在させた状態で、ケース部材８のうち、前記電子部品６と対向する部位を覆うように、樹脂製の第２保護部材１７が配置されると共に、ケース部材８、第１保護部材１６及び第２保護部材１７を介して、外側から前記電子部品６を視認可能に構成されることを特徴とする。【選択図】図４
2008183108.tif 000002
【特許請求の範囲】
【請求項１】
遊技制御プログラムを記憶する電子部品が着脱可能に実装される基板を収容するため、基板の表面側を覆う樹脂製のケース部材を備えて構成される基板ケースにおいて、ケース部材のうち、前記電子部品と対向する部位を覆うように、耐熱性を有する第１保護部材が配置され、さらに、ケース部材との間に第１保護部材を介在させた状態で、ケース部材のうち、前記電子部品と対向する部位を覆うように、樹脂製の第２保護部材が配置されると共に、ケース部材、第１保護部材及び第２保護部材を介して、外側から前記電子部品を視認可能に構成されることを特徴とする基板ケース。
【請求項２】
遊技制御プログラムを記憶する電子部品が着脱可能に実装される基板を収容するため、基板の表面側を覆う樹脂製のケース部材を備えて構成される基板ケースを、筐体の内部に備える遊技機において、ケース部材のうち、前記電子部品と対向する部位を覆うように、耐熱性を有する第１保護部材が配置され、さらに、ケース部材との間に第１保護部材を介在させた状態で、ケース部材のうち、前記電子部品と対向する部位を覆うように、樹脂製の第２保護部材が配置されると共に、ケース部材、第１保護部材及び第２保護部材を介して、基板ケースの外側から前記電子部品を視認可能に構成されることを特徴とする遊技機。
【請求項３】
ケース部材と第１保護部材、及び第１保護部材と第２保護部材とがそれぞれ密接するように配置されることを特徴とする請求項２に記載の遊技機。
【請求項４】
第１保護部材及び第２保護部材は、ケース部材の内側に配置されることを特徴とする請求項２又は３に記載の遊技機。
【請求項５】
ケース部材は、基板の表面側と対向する表面部と、表面部の縁部に連接される側面部とを備えて構成され、第１保護部材は、少なくとも一部が側面部に沿って配置されることを特徴とする請求項２乃至４項の何れか１項に記載の遊技機。
【請求項６】
ケース部材及び第２保護部材のうち、電子部品と対向する部位が基板側に位置する一方に、電子部品に向けて延びる突出部が形成され、突出部は、電子部品が基板から脱抜される方向に移動することを規制するように構成されることを特徴とする請求項２乃至５の何れか１項に記載の遊技機。
【発明の詳細な説明】
【技術分野】
【０００１】
本発明は、例えばスロットマシン、パチンコ機等の遊技機に用いられる基板を収容する基板ケース及びこの基板ケースを備える遊技機に関する。
【背景技術】
【０００２】
スロットマシンやパチンコ機等の遊技機は、遊技進行に関する制御を主制御基板と呼ばれる制御基板により行っている。また、主制御基板は、遊技制御プログラムを記憶した電子部品（メインＲＯＭ）が表面側に搭載されている。そして、メインＲＯＭは、検査を受けるために、着脱可能に主制御基板に搭載され、さらに、遊技機の前扉を開けると、視認可能である必要がある。
【０００３】
そこで、従来、第三者によるメインＲＯＭの着脱行為を防止しつつ、外側からメインＲＯＭを視認可能とするため、一般的に、透明又は半透明のプラスチックやアクリル樹脂等の樹脂から形成される基板ケースが知られており、主制御基板は、基板ケースの中に収容される。また、全体として金属で形成され、且つ正面に窓孔を備え、該窓孔に耐熱性を有する透明な板ガラスが設けられる基板ケースも知られている（例えば特許文献１参照）。
【特許文献１】特開平１１−２１６２４５号公報
【発明の開示】
【発明が解決しようとする課題】
【０００４】
しかしながら、樹脂から形成される基板ケースは、半田ごて等の加熱手段により融解され、内部に収容される基板が外部に開放され、基板に搭載されているメインＲＯＭを不正ＲＯＭに交換するといった第三者の不正行為がなされる恐れがある。また、全体として金属で形成され、正面の窓孔に板ガラスが設けられる基板ケースは、全体として耐熱性があるため、加熱手段により融解される恐れはないが、板ガラスに衝撃を与えて破損させることで、内部に収容される基板が外部に開放されて、同じく第三者の不正行為がなされる恐れがある。
【０００５】
よって、本発明は、斯かる事情に鑑み、樹脂製の基板ケースの内部に収容される基板が外部に開放されることを困難にし、第三者の不正行為を抑止することができる基板ケース及び遊技機を提供することを課題とする。
【課題を解決するための手段】
【０００６】
本発明に係る基板ケースは、遊技制御プログラムを記憶する電子部品が着脱可能に実装される基板を収容するため、基板の表面側を覆う樹脂製のケース部材を備えて構成される基板ケースにおいて、ケース部材のうち、前記電子部品と対向する部位を覆うように、耐熱性を有する第１保護部材が配置され、さらに、ケース部材との間に第１保護部材を介在させた状態で、ケース部材のうち、前記電子部品と対向する部位を覆うように、樹脂製の第２保護部材が配置されると共に、ケース部材、第１保護部材及び第２保護部材を介して、外側から前記電子部品を視認可能に構成されることを特徴とする。
【０００７】
ここで、「耐熱性を有する」とは、例えば、ガラス又は金属あるいはガラス及び金属から形成され、半田ごてといった加熱手段によって融解されないように形成されることを意味する。具体的には、２５０℃でも融解されないことを意味する。
【０００８】
本発明によれば、ケース部材及び第２保護部材の間に第１保護部材が介在する状態で、樹脂製のケース部材のうち、遊技制御プログラムを記憶する電子部品と対向する部位を覆うように、耐熱性を有する第１保護部材と、樹脂製の第２保護部材とが配置されるため、電子部品と対向するケース部材の部位で基板を外部に開放するには、ケース部材を融解し、第１保護部材を破損し、そして、第２保護部材を融解して（あるいはその逆の順で）、各要素を排除することが必要となり、その結果、基板を外部に開放するのにかかる時間を長くすることができる。しかも、ケース部材、第１保護部材及び第２保護部材を介して、外側から電子部品を視認可能であるため、ケース部材、第１保護部材及び第２保護部材を配置した状態で、外側から電子部品を確認することができる。
【０００９】
また、本発明に係る遊技機は、遊技制御プログラムを記憶する電子部品が着脱可能に実装される基板を収容するため、基板の表面側を覆う樹脂製のケース部材を備えて構成される基板ケースを、筐体の内部に備える遊技機において、ケース部材のうち、前記電子部品と対向する部位を覆うように、耐熱性を有する第１保護部材が配置され、さらに、ケース部材との間に第１保護部材を介在させた状態で、ケース部材のうち、前記電子部品と対向する部位を覆うように、樹脂製の第２保護部材が配置されると共に、ケース部材、第１保護部材及び第２保護部材を介して、基板ケースの外側から前記電子部品を視認可能に構成されることを特徴とする。
【００１０】
本発明によれば、基板ケースに収容される基板に実装される遊技制御プログラムを記憶する電子部品と対向する樹脂製のケース部材の部位を覆うように、第１保護部材及び第２保護部材が配置される構成であるため、電子部品と対向するケース部材の部位で基板を外部に開放するには、第２保護部材を融解し、第１保護部材を破損し、そして、ケース部材を融解して（あるいはその逆の順で）、各要素を排除することが必要となる。
【００１１】
即ち、耐熱性を有する第１保護部材を破損する手段と、ケース部材及び第２保護部材を融解する手段とが異なった手段であることを必要とするため、複数の手段を使用し、しかも、同じ手段を連続して使用することを規制して、三つの障壁を排除することが必要となり、その結果、基板を外部に開放するのにかかる時間を長くすることができる。
【００１２】
また、本発明に係る遊技機においては、ケース部材と第１保護部材、及び第１保護部材と第２保護部材とがそれぞれ密接するように配置されてもよい。
【００１３】
かかる構成によれば、ケース部材と第１保護部材とが密接すると共に、第１保護部材と第２保護部材とが密接するため、ケース部材、第１保護部材及び第２保護部材が積層される。よって、最前方に配置されるケース部材（あるいは第２保護部材）が融解される際、又は、第１保護部材が破損される際に、積層方向に対して押圧力がかけられても、その押圧力に対して積層による抗力が働くため、ケース部材（あるいは第２保護部材）及び第１保護部材といった障壁をさらに排除させることを困難にし、その結果、基板を外部に開放するのにかかる時間をさらに長くすることができる。
【００１４】
また、本発明に係る遊技機においては、第１保護部材及び第２保護部材は、ケース部材の内側に配置されてもよい。
【００１５】
かかる構成によれば、第１保護部材及び第２保護部材がケース部材の内側及び外側のうち、内側に配置されるため、第１保護部材及び第２保護部材が基板ケースの内側から固定や保持されることになり、その結果、固定や保持した部位が基板ケースの外側から操作されるのを防止することができる。
【００１６】
また、本発明に係る遊技機においては、ケース部材は、基板の表面側と対向する表面部と、表面部の縁部に連接される側面部とを備えて構成され、第１保護部材は、少なくとも一部が側面部に沿って配置されてもよい。
【００１７】
かかる構成によれば、第１保護部材を回避して、第１保護部材の外縁に沿って基板ケースを融解しようとしても、第１保護部材が基板ケースの側面部に沿って配置されているため、表面部だけでなく側面部にも跨ってケース部材を融解させる必要がある。したがって、ケース部材の融解が簡単でなくなるため、第１保護部材の少なくとも一部がケース部材の側面部に沿って配置されていない場合と比較して、基板を外部に開放するのにかかる時間をさらに長くすることができる。
【００１８】
また、本発明に係る遊技機においては、ケース部材及び第２保護部材のうち、電子部品と対向する部位が基板側に位置する一方に、電子部品に向けて延びる突出部が形成され、突出部は、電子部品が基板から脱抜される方向に移動することを規制するような構成を採用してもよい。
【００１９】
かかる構成によれば、突出部が電子部品に向けて延びているため、電子部品が突出部と直接的又は間接的に当接することで、電子部品が基板から脱抜されるのを規制し、その結果、基板から電子部品が脱抜されるのを防止することができる。
【発明の効果】
【００２０】
本発明によれば、樹脂製の基板ケースの内部に収容される基板が外部に開放されることを困難にし、第三者の不正行為を抑止することができるという優れた効果を奏する。
【発明を実施するための最良の形態】
【００２１】
以下、本発明に係る遊技機の一実施形態について、添付図面を参照して説明する。本実施形態において、遊技機をスロットマシンとした場合を例とする。
【００２２】
本実施形態に係る遊技機１は、図１に示すように、筐体２と、筐体２の前面に開閉自在に取り付けられる前扉３とを備える。筐体２は、図２に示すように、内部の上方側に、回転駆動する三個のリールを有するリールユニット４を備え、リールユニット４の直上に、遊技の進行を制御する基板ユニット５を備える。具体的には、基板ユニット５は、下縁部がリールユニット４の上縁部と隣接すると共に、その他の縁部が筐体２の内面と隣接するように配置される。
【００２３】
基板ユニット５は、図３に示すように、電子部品６，…（図３において、遊技プログラムを記憶する電子部品、即ち、メインＲＯＭのみ図示している）が表面側に搭載される主制御基板７（本発明に係る「基板」に相当し、以下、単に「基板」という）と、基板７を内部に収容するための、基板７の表面側を覆う第１ケース部材８（本発明に係る「ケース部材」に相当し、「蓋部材」ともいう）及び基板７の裏面側を覆う第２ケース部材９を備えて構成される基板ケース１０と、基板ケース１０を筐体２の側壁内面に取り付ける取付板１１とを備える。
【００２４】
長方形状に形成される金属製の取付板１１は、複数の取付孔１２，…を備え、螺子やピン等の締結具により取付孔１２，…を介して、筐体２の側壁内面に固定される。そして、第１ケース部材８、第２ケース部材９及び取付板１１は、係合手段１３及び封止手段（第１封止手段１４及び第２封止手段１５の少なくとも何れか一方）により分離不能に結合される。
【００２５】
具体的には、係合手段１３は、第２ケース部材９に形成される突起部１３ａが、取付板１１の対応する箇所に設けられるスリット１３ｂ内に挿通されると共に、第１ケース部材８の対応する箇所に設けられるスリット（図示せず）内に挿通されて係合する。
【００２６】
第１封止手段１４（図３において四つとする）は、連結部材１４ａの一端側に設けられる円筒状の頭部が、第１ケース部材８に設けられる円筒状の結合部１４ｂの内側に嵌合され、連結部材１４ａの他端側に設けられる二股状のピン部が、第１ケース部材８に設けられる挿通孔１４ｃと、第２ケース部材９に設けられる挿通孔１４ｄとを挿通した後、取付板１１に設けられる係止孔１４ｅで抜け外れない状態に係止されることで封止する。即ち、第１封止手段１４は、第１ケース部材８と第２ケース部材９との結合状態を維持すると共に、基板ケース１０が取付板１１（遊技機１の筐体２側）に固定される状態で封止する。
【００２７】
第２封止手段１５（図３において二つとする）は、連結部材１５ａの一端側に設けられる円筒状の頭部が、第１ケース部材８に設けられる円筒状の結合部１５ｂの内側に嵌合され、連結部材１５ａの他端側に設けられる二股状のピン部が、第１ケース部材８に設けられる挿通孔１５ｃを挿通した後、第２ケース部材９に設けられる係止孔１５ｄで抜け外れない状態に係止されることで封止する。即ち、第２封止手段１５は、第１ケース部材８と第２ケース部材９との結合状態を維持して封止する。
【００２８】
基板ケース１０は、さらに、図４及び図５に示すように、第１ケース部材８のうち、遊技制御プログラムを記憶する電子部品６（メインＲＯＭ）と対向する部位を少なくとも覆うように、第１保護部材１６が配置されると共に、第１ケース部材８との間に第１保護部材１６を介在させた状態で、第１ケース部材８のうち、電子部品６（メインＲＯＭ）と対向する部位を少なくとも覆うように、第２保護部材１７が配置される。
【００２９】
また、第１保護部材１６及び第２保護部材１７は、第１ケース部材８の内側に配置される。より具体的には、第１保護部材１６は、第１ケース部材８の基板７側に配置され、さらに、第２保護部材１７は、第１保護部材１６の基板側に配置されると共に、周縁部に施される溶着材や接着材といった固定手段１８で第１ケース部材８に固定されて、第１保護部材１６を保持する。
【００３０】
しかも、第１ケース部材８と第１保護部材１６、及び第１保護部材１６と第２保護部材１７とは、それぞれ密接するように配置される。より具体的には、第２保護部材１７は、第１保護部材１６と密接すると共に、第１ケース部材８と第１保護部材１６とが密接するように、固定手段１８で第１ケース部材８に固定される。
【００３１】
第１ケース部材８及び第２ケース部材９は、基板ケース１０の外側から遊技制御プログラムを記憶する電子部品６（メインＲＯＭ）を視認可能なように、透明又は半透明であるプラスチックやアクリル樹脂といった樹脂から形成される。また、第１ケース部材８及び第２ケース部材９は、長方形状に形成される。
【００３２】
第１ケース部材８は、基板７の表面側と対向する表面部１９と、表面部１９の縁部に連接される側面部２０とを備える。具体的には、第１ケース部材８は、基板７の表面側と対向する平板状であって、長方形状の表面部１９と、平板状の表面部１９の縁部に直交又は略直交するように連接される平板状の側面部２０とを備える。なお、第１ケース部材８は、電子部品６（メインＲＯＭ）と対向する部位の厚さ寸法を他の部位の厚さ寸法より大きくして、電子部品６（メインＲＯＭ）と対向する部位が他の部位より融解され難くしてもよい。
【００３３】
第１保護部材１６は、平板状であり、また、長方形状に形成される。そして、第１保護部材１６は、少なくとも一部が第１ケース部材８の側面部２０に沿って配置される。具体的には、第１保護部材１６は、長方形状の二辺の縁部が第１ケース部材８の側面部２０に沿って配置される。より具体的には、第１保護部材１６は、図４に示す正面視において、長方形状の上縁部及び右側縁部が、それぞれ第１ケース部材８の上側の側面部２０及び右側の側面部２０に沿って保持される。また、第１保護部材１６は、本実施形態においては、基板ケース１０の外側から電子部品６（メインＲＯＭ）を視認可能なように、透明又は半透明のガラスから形成される。
【００３４】
第２保護部材１７は、平板状に形成される。また、第２保護部材１７は、第１保護部材１６全体を覆うことのできる長方形状に形成される。具体的には、第２保護部材１７は、第１保護部材１６の形状に相対する凹部を備え、第１保護部材１６を凹部に嵌め込み、保持させた状態で第１ケース部材８に固定される。そして、第２保護部材１７は、本実施形態において、基板ケース１０の外側から電子部品６（メインＲＯＭ）を視認可能なように、透明又は半透明であるプラッスチックやアクリル樹脂といった樹脂から形成される。
【００３５】
しかも、第１ケース部材８及び第２保護部材１７のうち、基板７の表面側に搭載される電子部品６（メインＲＯＭ）と対向する部位が基板７側に位置される一方、即ち、本実施形態において第２保護部材１７は、電子部品６（メインＲＯＭ）が基板７から脱抜される方向に移動することを規制するため、電子部品６（メインＲＯＭ）に向けて延びる突出部２１が形成される。
【００３６】
突出部２１は、第２保護部材１７に形成される凸部（凹部）からなる。より具体的には、突出部２１は、第２保護部材１７に設けられる開口部２１ａと、開口部２１ａに対向する表面部２１ｂと、開口部２１ａの縁部と表面部２１ｂの縁部とに連接される側面部２１ｃを備え、該開口部２１ａより電子部品６（メインＲＯＭ）に向けて内部空間が形成される。しかも、突出部２１は、第２保護部材１７と金型加工等により一体成形される。
【００３７】
また、突出部２１は、表面部２１ｂの電子部品６（メインＲＯＭ）と対向する側の面に、一対の凸部２１ｄ，２１ｄが形成される。そして、突出部２１の凸部２１ｄ，２１ｄは、互いに間隔を有して離間した位置に設けられ、電子部品６（メインＲＯＭ）が突出部２１や第１ケース部材８と対向する方向に移動することを規制するため、それぞれ電子部品６（メインＲＯＭ）と当接する。しかも、基板７に搭載される電子部品６（メインＲＯＭ）を基板ケース１０の外側から拡大して視認可能にするため、突出部の表面部２１ｂは、凸レンズ２１ｅに形成される。
【００３８】
本実施形態に係る遊技機１の構成は以上の通りであり、次に、この本実施形態に係る遊技機１が第三者の不正行為を抑止する作用について説明する。
【００３９】
基板７に搭載される電子部品６（メインＲＯＭ）が基板ケース１０の中に収容されているため、第三者が基板７に搭載されるメインＲＯＭ（電子部品６）を不正ＲＯＭに交換するといった不正行為をするには、遊技機１の前扉３を開けた上で、少なくとも基板ケース１０の内側に通じる穴を開けることが必要となる。
【００４０】
まず、第三者が第１ケース部材８の電子部品６（メインＲＯＭ）と略対向する部位に貫通穴を開ける場合を想定する。その場合、最前面に配置される第１ケース部材８を加熱して融解し、次に、第１保護部材１６に衝撃を与えて破損し、最後に、第２保護部材１７を加熱して融解する必要がある。しかも、第１ケース部材８、第１保護部材１６及び第２保護部材１７は、密接する三層の積層構造となっているため、第三者の積層方向への力に対して積層構造による抗力が働き、その結果、第１ケース部材８を融解することや、第１保護部材１６を破損することをさらに困難にさせる。
【００４１】
次に、第三者が三層の積層構造を忌避し、第１保護部材１６を回避して、第１保護部材１６の外縁に沿って第１ケース部材８を融解する場合を想定する。その場合、正面視において、第１保護部材１６の左側縁部及び下縁部が第１ケース部材８の側面部２０と離れているため、その部分については、第１ケース部材８の表面部１９を加熱して融解することができる。
【００４２】
しかし、第１保護部材１６の上縁部及び右側縁部は、側面部２０に沿って配置されているため、第１保護部材１６の外縁に沿って第１ケース部材８を融解するには、第１ケース部材８の上側の側面部２０又は右側の側面部２０を加熱して融解する必要がある。そこで、基板ユニット５、即ち、第１ケース部材８の下側の側面部２０がリールユニット４の上縁部と隣接すると共に、その他（上側及び左右両側）の側面部２０が筐体２の内面と隣接するように配置されているため、第三者が加熱手段を使って、第１ケース部材８の上側の側面部２０又は右側の側面部２０を加熱して融解する作業が非常に困難となる。
【００４３】
また、第三者が第１保護部材１６を回避して第１ケース部材８を融解することも忌避し、第１保護部材１６が配置されていない第１ケース部材８の表面部１９の部位（図４において表面部１９の左側）を融解する場合を想定する。その場合、従来通り、第１ケース部材８の表面部１９を加熱して融解することができる。しかし、第２保護部材１７に形成される突出部２１の凸部２１ｄ，２１ｄが、メインＲＯＭ（電子部品６）と当接し、基板７からメインＲＯＭ（電子部品６）を脱抜するのを規制するため、第三者は、メインＲＯＭ（電子部品６）を不正ＲＯＭと交換するといった不正行為を実施できない。
【００４４】
さらに、第三者が第１保護部材１６や第２保護部材１７を第１ケース部材８の外側から離脱させたり、移動させたりする場合を想定する。その場合、第２保護部材１７が第１ケース部材８の内側で第１ケース部材８と固定手段１８で固定されているため、その固定される部分を第１ケース部材８の外側からアプローチすることができず、第１保護部材１６や第２保護部材１７を離脱させたり、移動させたりすることができない。したがって、遊技機１は、上記何れの場合において、メインＲＯＭ（電子部品６）が不正ＲＯＭに交換されるといった第三者の不正行為を抑止できる。
【００４５】
ところで、メインＲＯＭ（電子部品６）が不正ＲＯＭと交換されているか否かを定期的に確認する必要があるため、メインＲＯＭ（電子部品６）の表面に記載される小さい文字が目視で確認される。もちろん、第１ケース部材８及び第２保護部材１７が透明又は半透明の樹脂から、そして、第１保護部材１６が透明又は半透明のガラスから形成されているため、ケース部材８、第１保護部材１６及び第２保護部材１７を介して、基板ケース１０の外側からメインＲＯＭ（電子部品６）を視認することができる。
【００４６】
その際、突出部２１の表面部２１ｂに形成される凸レンズ２１ｅがメインＲＯＭ（電子部品６）と対向するように配置され、さらに、凸部２１ｄ，２１ｄによりメインＲＯＭ（電子部品６）から所定距離を離れて配置されているため、メインＲＯＭ（電子部品６）の表面に記載される小さい文字が、基板ケース１０の外側から拡大して視認することができる。また、凸レンズ２１ｅは、第１ケース部材８の内側に配置されているため、第１ケース部材８の外側から接触されず、その結果、傷つけられ難い。
【００４７】
以上より、本実施形態に係る遊技機１や基板ケース１０は、第１ケース部材８に対して、第１ケース部材８及び電子部材６（メインＲＯＭ）が対向する部位に、第１保護部材１６を配置すると共に、第１ケース部材８との間で第１保護部材１６を介在する状態で第２保護部材１７を配置し、第１保護部材１６及び第２保護部材１７のそれぞれが、電子部品６と対向する第１ケース部材８の部位より大きくなる構成であるため、電子部品６と対向する第１ケース部材８の部位に、外側から基板７に通じる貫通穴を開け難くし、その結果、第三者の不正行為を抑止できる。
【００４８】
また、本実施形態に係る遊技機１や基板ケース１０は、第１ケース部材８の電子部品６（メインＲＯＭ）と対向する部位において、第１ケース部材８、第１保護部材１６及び第２保護部材１７からなる三層の積層構造となる構成であるため、第１ケース部材８の電子部品６（メインＲＯＭ）と対向する部位で、外側から基板７に通じる貫通穴をさらに開け難くし、その結果、第三者の不正行為をさらに抑止できる。
【００４９】
また、本実施形態に係る遊技機１や基板ケース１０は、第２保護部材１７が第１ケース部材８の内側（基板７側）から固定手段１８で第１ケース部材８に固定される構成であるため、第１ケース部材８の外側から固定手段１８で固定される部分に接触するのを防止でき、その結果、第１ケース部材８の外側から第１保護部材１６や第２保護部材が排除されるのを防止できる。
【００５０】
また、本実施形態に係る遊技機１や基板ケース１０は、長方形状の第１保護部材１６の一部（二辺の縁部）が第１ケース部材８の側面部２０に沿って配置される構成であるため、第１保護部材を回避して第１保護部材１６の縁部に沿って第１ケース部材８を融解するには、側面部２０にも跨って融解する必要がある。したがって、本実施形態に係る遊技機１や基板ケース１０は、側面部２０にも跨って融解する必要が無い場合と比較して、融解するのに必要な時間が長くなるため、第三者の不正行為を効果的に抑止できる。
【００５１】
また、本実施形態に係る遊技機１や基板ケース１０は、突出部２１の凸部２１ｄ，２１ｄが電子部品６（メインＲＯＭ）と当接する構成であるため、基板７から電子部品６（メインＲＯＭ）を脱抜されるのを規制し、その結果、突出部２１（第２保護部材１７）が排除されない限り、電子部品６（メインＲＯＭ）を基板７から脱抜するといった第三者の不正行為を防止できる。
【００５２】
また、本実施形態に係る遊技機１や基板ケース１０は、第１ケース部材８の内側に設けられる凸レンズ２１ｅが電子部品６（メインＲＯＭ）と間隔を有して対向するように配置されるため、電子部品６（メインＲＯＭ）を第１ケース部材８の外側から拡大して視認可能にすると共に、第１ケース部材８の外側から凸レンズ２１ｅが接触されて、傷つけられることを防止できる。
【００５３】
また、本実施形態に係る遊技機１や基板ケース１０は、第１保護部材１６が透明又は半透明のガラスから形成される構成であるため、第１保護部材１６が第１ケース部材８のうち、電子部品６（メインＲＯＭ）と対向する部位全体を覆うように配置されても、基板ケース１０の外側から電子部品６（メインＲＯＭ）を視認可能である。さらに、第１保護部材１６がガラスから形成される構成であるため、一般的に、原料費が安価であり、加工がしやすく、その結果、製造コストを安価に抑えることができる。
【００５４】
なお、本発明の遊技機や基板ケースは、上記した実施の形態に限定されるものではなく、本発明の要旨を逸脱しない範囲内において種々変更を加え得ることは勿論である。
【００５５】
例えば、遊技機１や基板ケース１０は、上記実施形態においては、第１保護部材１６及び第２保護部材１７が第１ケース部材８の内側（基板７側）に配置される場合を例にとって説明したが、第１保護部材１６が第１ケース部材８の外側（基板７と反対側）に配置され、第２保護部材１７が第１保護部材１６のさらに外側（基板７と反対側）に配置されてもよい。その場合、突出部２１は、第１ケース部材８に形成される。
【００５６】
また、上記実施形態においては、第１保護部材１６がガラスから形成される場合を例にとって説明したが、金属製であって、例えば、網状や格子状といった、基板ケース１０の外側から電子部品６（メインＲＯＭ）を視認可能な形状に形成されてもよい。このようにすれば、第１保護部材１６は、熱に強いだけでなく、衝撃にも強くなることができる。もちろん、第１保護部材１６は、基板ケース１０の外側から電子部品６（メインＲＯＭ）を視認可能な形状に形成される金属を、表面又は内部あるいは表面及び内部に備えるガラスから形成されてもよい。要するに、第１保護部材１６は、半田ごてといった加熱手段によって融解されないと共に、基板ケース１０の外側から電子部品６（メインＲＯＭ）が視認可能なように形成されていればよい。
【００５７】
また、上記実施形態においては、第１保護部材１６や第２保護部材１７が第１ケース部材８の表面部１９の一部に配置される場合を例にとって説明したが、第１保護部材１６や第２保護部材１７が第１ケース部材８の表面部１９の全体に配置されもよい。
【００５８】
また、上記実施形態においては、第２保護部材１７を溶着材や接着剤といった固定手段１８を介して第１ケース部材８に固定する場合を例にとって説明したが、例えば、第１ケース部材に雌ねじが内周面に形成されるねじ孔を設ける一方、第２保護部材１７の対応する箇所に挿通孔を設け、雌ねじに対応する雄ねじが外周面に形成される螺子を、第２保護部材１７の内側（基板７側）から開孔を介してねじ孔に螺合することで固定してもよい。要するに、第１保護部材１６や第２保護部材１７の固定が第１ケース部材８の外側から解除されないような固定手段が好ましい。
【００５９】
また、上記実施形態においては、第２保護部材１７を第１ケース部材８に固定する場合を例にとって説明したが、第１保護部材１６を第１ケース部材８に固定させてもよく、第２保護部材１７を第１ケース部材８及び第１保護部材１６の少なくとも何れか一方に固定させてもよい。
【００６０】
また、上記実施形態においては、突出部２１が第２保護部材１７と一体成形される場合を例にとって説明したが、突出部２１は、第２保護部材１７と独立して形成される凸状部材を第２保護部材１７に固定して形成してもよい。具体的には、突出部２１は、直方体状であって、そのうちの一面に開口部を備えると共に、内部空間を有するように形成された上で、開口部を第２保護部材１７に固定してもよい。
【００６１】
また、上記実施形態においては、突出部２１が凸部２１ｄ，２１ｄが形成される場合を例にとって説明したが、凸部２１ｄ，２１ｄがなくてもよい。その場合、突出部２１は、基板７に搭載される電子部品６（メインＲＯＭ）が脱抜されることを規制するように、電子部品６（メインＲＯＭ）の直近又は当接するまで延伸させる必要がある。
【００６２】
また、上記実施形態においては、凸レンズ２１ｅが突出部２１の表面部２１ｂに形成される場合を例にとって説明したが、凸レンズ２１ｅが突出部２１と独立して形成されてもよい。要するに、電子部品６（メインＲＯＭ）と間隔を有して対向する方向に配置されていればよい。但し、凸レンズ２１ｅが傷つけられることを防止するため、第１ケース部材８の外側から接触されることを防止できる構成にすることが好ましい。
【図面の簡単な説明】
【００６３】
【図１】本発明の一実施形態に係る遊技機の斜視図であって、扉が閉じられた状態を示す。
【図２】同実施形態に係る遊技機の斜視図であって、扉が開かれた状態を示す。
【図３】同実施形態に係る遊技機に搭載される基板ユニットの分解斜視図を示す。
【図４】同実施形態に係る基板ユニットの正面図を示す。
【図５】同実施形態に係る基板ユニットであって、図４のＡ−Ａ線における断面図を示す。
【符号の説明】
【００６４】
１…遊技機、２…筐体、３…前扉、４…リールユニット、５…基板ユニット、６…電子部品（メインＲＯＭ）、７…基板、８…第１ケース部材（蓋部材）、９…第２ケース部材、１０…基板ケース、１１…取付板、１２…取付孔、１３…係合手段、１３ａ…突起部、１３ｂ…スリット、１４…第１封止手段、１４ａ…連結部材、１４ｂ…結合部、１４ｃ…挿通孔、１４ｄ…挿通孔、１４ｅ…係止孔、１５…第２封止手段、１５ａ…連結部材、１５ｂ…結合部、１５ｃ…挿通孔、１５ｄ…係止孔、１６…第１保護部材、１７…第２保護部材、１８…固定手段、１９…表面部、２０…側面部、２１…突出部、２１ａ…開口部、２１ｂ…表面部、２１ｃ…側面部、２１ｄ…凸部、２１ｅ…凸レンズ
【図１】
2008183108.tif 000003
【図２】
2008183108.tif 000004
【図３】
2008183108.tif 000005
【図４】
2008183108.tif 000006
【図５】
2008183108.tif 000007